(57)【要約】【課題】バックライトユニット及びこれを備えた液晶表示装置を提供する。【解決手段】複数の発光素子部１１０と、複数の発光素子部１１０がそれぞれ実装される１対以上の第１の基板１０１及び第２の基板１０２と、第１の基板１０１の一側の領域に形成された第１の固定パターン１２０と、第２の基板１０２の一側の領域に形成されて、第１の固定パターン１２０と重なり合う第２の固定パターン１３０と、第１の基板１０１及び第２の基板１０２を収納する収納部材２００と、第１の固定パターン１２０及び第２の固定パターン１３０の隣接領域に形成されて、第１の基板１０１または第２の基板１０２を収納部材２００に固定する第１の固定部材１６０と、を備えている。【選択図】図３
2008041639.tif 000002
【特許請求の範囲】
【請求項１】
複数の発光素子部と、
前記複数の発光素子部がそれぞれ実装される１対以上の第１の基板及び第２の基板と、
前記第１の基板の一側の領域に形成された第１の固定パターンと、
前記第２の基板の一側の領域に形成されて、前記第１の固定パターンと重なり合う第２の固定パターンと、
前記第１の基板及び前記第２の基板を収納する収納部材と、
前記第１の固定パターン及び前記第２の固定パターンの隣接領域に形成されて、前記第１の基板または第２の基板を前記収納部材に固定する第１の固定部材と、
を備えるバックライトユニット。
【請求項２】
前記第１の固定パターンの上側に前記第２の固定パターンが配設され、前記第１の固定部材は前記第２の基板に形成された請求項１に記載のバックライトユニット。
【請求項３】
前記第１の固定部材は、前記第１の基板または前記第２の基板の上部から前記第１の基板または第２の基板の溝を貫通して、前記第１の基板の下部または前記第２の基板の下部の前記収納部材に固定される請求項１に記載のバックライトユニット。
【請求項４】
前記第１の固定パターンは下向きの勾配を有する第１の斜面であり、前記第２の固定パターンは前記第１の斜面に対応する上向きの勾配を有する第２の斜面である請求項１に記載のバックライトユニット。
【請求項５】
前記第１の固定パターンと前記第２の固定パターンとが接触する領域において、前記第１の基板の前記接触する領域における下側の領域が突出された第１の突出部が形成されており、前記第２の基板の前記接触する領域における上側の領域が突出された第２の突出部が形成される請求項１に記載のバックライトユニット。
【請求項６】
前記第１の固定パターンは前記第１の基板の一側に第１の凹凸部を備え、前記第２の固定パターンは前記第１の凹凸部に対応する第２の凹凸部を備える請求項１に記載のバックライトユニット。
【請求項７】
前記第１の固定パターン及び第２の固定パターンの重なり合う領域の厚さと、前記第１の基板及び前記第２の基板の厚さが同じである請求項１に記載のバックライトユニット。
【請求項８】
前記第１の基板及び前記第２の基板のそれぞれは、外部電源と接続されるコネクター部を備える請求項１に記載のバックライトユニット。
【請求項９】
前記複数の発光素子部は、それぞれ赤色、緑色及び青色で発光する第１〜第３の発光ダイオードを備え、前記コネクター部の第１〜第３の正負の両端子間に前記複数の第１〜第３の発光ダイオードが電気的に接続される請求項８に記載のバックライトユニット。
【請求項１０】
前記複数の発光素子部は、白色光を発光する少なくとも１つの発光ダイオードを備える請求項８に記載のバックライトユニット。
【請求項１１】
前記収納部材と隣接する前記第１の基板及び前記第２の基板の領域を前記収納部材に固定する第２の固定部材を備える請求項１に記載のバックライトユニット。
【請求項１２】
前記第２の固定部材は、前記第１の基板及び前記第２の基板の溝を貫通して前記収納部材に固定されるネジ、前記収納部材の下側に形成され、前記第１の基板及び前記第２の基板の溝を貫通して上側突起を介して前記第１の基板及び前記第２の基板を固定するフック、及び前記収納部材の側壁面から突出されて前記第１の基板及び前記第２の基板の一壁面を押圧して固定する突起のうちのいずれか１つである請求項１１に記載のバックライトユニット。
【請求項１３】
前記第１の固定パターン及び前記第２の固定パターンがそれぞれ結合された複数枚の第１の基板及び前記第２の基板が前記収納部材内に隣接されている請求項１に記載のバックライトユニット。
【請求項１４】
複数の発光素子部と、
前記複数の発光素子部がそれぞれ実装される１対以上の第１の基板及び第２の基板と、
前記第１の基板の一側の領域に形成された第１の固定パターンと、
前記第２の基板の一側の領域に形成されて、前記第１の固定パターンと重なり合う第２の固定パターンと、
前記第１の基板及び前記第２の基板を収納する収納部材と、
前記第１の基板及び前記第２の固定パターンの重なり合う領域に形成されて、前記第１の基板及び前記第２の基板を前記収納部材に固定する第１の固定部材と、
を備えるバックライトユニット。
【請求項１５】
前記第１の固定部材は、前記第１の固定パターン及び第２の固定パターンの重なり合う領域の上部から、前記第１の固定パターン及び第２の固定パターン領域の前記第１の基板及び第２の基板に形成された溝を貫通して前記基板の下部の前記収納部材に固定される請求項１に記載のバックライトユニット。
【請求項１６】
前記第１の固定パターン及び第２の固定パターンの重なり合う面の垂直断面の形状は、斜線、折り曲げ状の直線、及び曲線のうちいずれか１つの形状である請求項１４に記載のバックライトユニット。
【請求項１７】
前記収納部材と隣接する前記第１の基板及び第２の基板の領域を前記収納部材に固定する第２の固定部材を備える請求項１４に記載のバックライトユニット。
【請求項１８】
前記第２の固定部材は、前記第１の基板及び第２の基板の溝を貫通して前記収納部材に固定されるネジ、前記収納部材の下側に形成され、前記第１の基板及び第２の基板の溝を貫通して上側突起を介して前記第１の基板及び前記第２の基板を固定するフック、および前記収納部材の側壁面から突出されて前記第１の基板及び前記第２の基板の一壁面を押圧して固定する突起のうちのいずれか１つである請求項１７に記載のバックライトユニット。
【請求項１９】
前記第１固定パターン及び第２の固定パターンがそれぞれ結合された複数枚の第１の基板及び第２の基板が前記収納部材内に隣接されている請求項１４に記載のバックライトユニット。
【請求項２０】
収納部材と、
複数の発光素子部がそれぞれ実装されて前記収納部材内に形成された複数枚の基板と、
隣接する基板の少なくとも一部が重なり合い、前記重なり合う領域の上側に位置する基板を前記収納部材に固定する第１の固定部材と、
を備えるバックライトユニット。
【請求項２１】
前記第１の固定部材は、前記重なり合う領域の上側に位置する基板の前記重なり合う領域との隣接領域に形成されるか、または、前記重なり合う領域に形成された請求項２０に記載のバックライトユニット。
【請求項２２】
前記収納部材と隣接する基板を前記収納部材に固定する第２の固定部材をさらに備える請求項２０に記載のバックライトユニット。
【請求項２３】
前記複数枚の基板はマトリックス状に配設され、行向き、列向き、または行向きと列向きとに隣接する基板同士が重なり合う請求項２０に記載のバックライトユニット。
【請求項２４】
前記重なり合う領域の厚さと前記基板の厚さが同じである請求項２０に記載のバックライトユニット。
【請求項２５】
互いに隣接する基板は、それぞれの基板が隣接する領域内において複数回重なり合う請求項２０に記載のバックライトユニット。
【請求項２６】
前記複数枚の基板のそれぞれは、外部電源と接続されるコネクター部を備える請求項２０に記載のバックライトユニット。
【請求項２７】
収納部材及び複数の発光素子部がそれぞれ実装され、前記収納部材内に形成された複数枚の基板及び隣接する基板の少なくとも一部が重なり合い、前記重なり合う領域の上側に位置する基板を前記収納部材に固定する第１の固定部材有するバックライトユニットと、
前記バックライトユニットからの光を用いて映像を表示する表示パネルと、
を備える液晶表示装置。
【請求項２８】
前記バックライトユニットは、
前記複数枚の基板の上に形成された反射板と、
前記複数枚の基板の上に配設された拡散板及び光学シートと、
をさらに備える請求項２７に記載の液晶表示装置。
【請求項２９】
前記第１の固定部材は、前記重なり合う領域の上側に位置する基板の前記重なり合う領域との隣接領域に形成されるか、または、前記重なり合う領域に形成されている請求項２７に記載の液晶表示装置。
【請求項３０】
前記収納部材と隣接する基板を前記収納部材に固定する第２の固定部材をさらに備える請求項２７に記載の液晶表示装置。
【請求項３１】
前記複数枚の基板はマトリックス状に配設され、行方向、列方向、または行方向と列方向とに隣接する基板同士が重なり合う請求項２７に記載の液晶表示装置。
【発明の詳細な説明】
【技術分野】
【０００１】
本発明は、バックライトユニット及びこれを備えた表示装置に係り、さらに詳しくは、複数の発光ダイオードが実装された複数枚の回路基板の浮き上がりを防止し、回路基板の接合領域における輝度の低下を防ぐことができるバックライトユニット及びこれを備えた表示装置に関する。
【背景技術】
【０００２】
平板型表示装置のうち、液晶表示装置（ｌｉｑｕｉｄ  ｃｒｙｓｔａｌ  ｄｉｓｐｌａｙ：ＬＣＤ）は、単位ピクセルの液晶の配列を変化させて透光量を調節することにより、目的の画像を表示する装置である。液晶表示装置は、自ら発光できない素子であるため、液晶表示パネルの下部には、液晶表示パネルに光を提供するバックライトユニットを備えている。
【０００３】
従来、バックライトユニットの光源として、冷陰極蛍光ランプ（Ｃｏｌｄ  Ｃａｔｈｏｄｅ  Ｆｌｕｏｒｅｓｃｅｎｔ  Ｌａｍｐ：ＣＣＦＬ）を用いていた。ところが、冷陰極蛍光ランプは、消費電力が高く、輝度が低いという欠点がある。この理由から、近年、低消費電力と高輝度を有する発光ダイオードをバックライトユニットの光源として用いている。すなわち、複数の発光ダイオードを基板の上に実装してバックライトユニットの光源として用いている。
【０００４】
特に、近年では、液晶表示装置の大型化が進んでおり、液晶表示装置の大型化に伴い、複数の発光ダイオードが実装された複数枚の回路基板を配設してバックライトユニットの光源として用いている。このとき、前記複数枚の回路基板を液晶表示装置の下部に固定するために、回路基板の両周縁領域に配設されるネジなどの固定部材を用いていた。この結果、回路基板が密着される領域においては、各基板の固定部材が隣接する隙間が生じ、隣接する基板同士の間隔及び固定部材による輝度の低下が増大してしまうという問題点がある。
【０００５】
また、固定部材を係合する時間が原因で作業時間が延びてしまい、生産性が落ちるという問題点がある。特に、多くの固定部材の数が必要な大画面を有する液晶表示装置において、上記のような問題点は、より深刻な問題点となって現れる。
【発明の開示】
【発明が解決しようとする課題】
【０００６】
本発明は上記の問題点を解決するためになされたものであり、その目的は、垂直及び／または水平向きに隣接する基板同士を係合する固定パターンを基板の一側の領域に形成して、固定部材の使用点数を減らすことができ、しかも、基板の隣接領域における輝度の低下を防ぐことのできるバックライトユニット及びこれを備えた表示装置を提供するところにある。
【課題を解決するための手段】
【０００７】
本発明は、複数の発光素子部と、前記複数の発光素子部がそれぞれ実装される１対以上の第１及び第２の基板と、前記第１の基板の一側の領域に形成された第１の固定パターンと、前記第２の基板の一側の領域に形成されて、前記第１の固定パターンと重なり合う第２の固定パターンと、前記第１及び第２の基板を収納する収納部材と、前記第１及び第２の固定パターンの隣接領域に形成されて、前記第１または第２の基板を前記収納部材に固定する第１の固定部材と、を備えるバックライトユニットを提供する。
【０００８】
ここで、前記第１の固定パターンの上側に前記第２の固定パターンが配設され、前記第１の固定部材は前記第２の基板に形成されていることが好ましい。
【０００９】
そして、前記第１の固定部材は前記第１または第２の基板の上部から前記第１または第２の基板の溝を貫通して基板の下部の前記収納部材に固定されることが好適である。
【００１０】
このとき、前記第１の固定パターンは下向きの勾配を有する第１の斜面であり、前記第２の固定パターンは前記第１の斜面に対応する上向きの勾配を有する第２の斜面であることが好ましい。もちろん、前記第１の固定パターンと前記第２の固定パターンが接触する領域において、前記第１の基板の下側領域が突出された第１の突出部が形成されており、前記第２の基板の上側領域が突出された第２の突出部が形成されていてもよい。前記第１の固定パターンは前記第１の基板の一側に第１の凹凸部を備え、前記第２の固定パターンは前記第１の凹凸部に対応する第２の凹凸部を備えても良い。
【００１１】
前記第１及び第２の固定パターンの重なり合う領域の厚さと前記第１及び第２の基板の厚さが同じであることが好ましい。
【００１２】
前記第１及び第２の基板のそれぞれは、外部電源と接続されるコネクター部を備えることが好ましい。ここで、前記複数の発光素子部は、それぞれ赤色、緑色及び青色を発光する第１〜第３の発光ダイオードを備え、前記コネクター部の第１〜第３の正負の両端子間に前記複数の第１〜第３の発光ダイオードが電気的に接続されることが好ましい。そして、前記複数の発光素子部は、白色光を発光する少なくとも１つの発光ダイオードを備えることが好ましい。
【００１３】
上述の収納部材と隣接する前記第１及び第２の基板領域を前記収納部材に固定する第２の固定部材を備えることが好ましい。そして、前記第２の固定部材は、前記第１及び第２の基板の溝を貫通して前記収納部材に固定されるネジ、前記収納部材の下側に形成され、前記第１及び第２の基板の溝を貫通して上側突起を介して前記第１及び第２の基板を固定するフック、及び、前記収納部材の側壁面から突出されて前記第１及び第２の基板の一壁面を圧押して固定する突起のうちいずれか１つであることが好ましい。
【００１４】
前記第１及び第２の固定パターンがそれぞれ結合された複数枚の第１及び第２の基板が前記収納部材内に隣接することが好適である。
【００１５】
さらに、本発明は、複数の発光素子部と、前記複数の発光素子部がそれぞれ実装される１対以上の第１及び第２の基板と、前記第１の基板の一側の領域に形成された第１の固定パターンと、前記第２の基板の一側の領域に形成されて、前記第１の固定パターンと重なり合う第２の固定パターンと、前記第１及び第２の基板を収納する収納部材と、前記第１及び第２の固定パターンの重なり合う領域に形成されて、前記第１及び第２の基板を前記収納部材に固定する第１の固定部材と、を備えるバックライトユニットを提供する。
【００１６】
ここで、前記第１の固定部材は、前記第１及び第２の固定パターンの重なり合う領域の上部において、前記第１及び第２の固定パターン領域の前記第１及び第２の基板に形成された溝を貫通して前記基板の下部の前記収納部材に固定されることが好ましい。
【００１７】
そして、前記第１及び第２の固定パターンの重なり合う面の垂直断面の形状は、斜線、折り曲げ状の直線及び曲線のうちいずれか１つの形状であることが好ましい。
【００１８】
このとき、前記収納部材と隣接する前記第１及び第２の基板領域を前記収納部材に固定する第２の固定部材を備えることが好ましい。前記第２の固定部材は、前記第１及び第２の基板の溝を貫通して前記収納部材に固定されるネジ、前記収納部材の下側に形成され、前記第１及び第２の基板の溝を貫通して上側突起を介して前記第１及び第２の基板を固定するフック、及び、前記収納部材の側壁面から突出されて前記第１及び第２の基板の一壁面を圧押して固定する突起のうちいずれか１つであることが好ましい。
【００１９】
前記第１及び第２の固定パターンがそれぞれ結合された複数枚の第１及び第２の基板が前記収納部材内に隣接することが好ましい。
【００２０】
さらに、本発明は、収納部材と、複数の発光素子部がそれぞれ実装され、前記収納部材内に形成された複数枚の基板と、隣接する基板は少なくとも一部が重なり合い、前記重なり合う領域の上側に位置する基板を前記収納部材に固定する第１の固定部材と、を備えるバックライトユニットを提供する。
【００２１】
ここで、前記第１の固定部材は、前記重なり合う領域の上側に位置する基板の前記重なり合う領域との隣接領域に形成されるか、あるいは、前記重なり合う領域に形成されることが好ましい。
【００２２】
そして、前記収納部材と隣接する基板を前記収納部材に固定する第２の固定部材をさらに備えることが好適である。
【００２３】
もちろん、前記複数枚の基板はマトリックス状に配設され、前記行向き、列向きまたは行向きと列向きに隣接する基板同士が重なり合ってもよい。
【００２４】
前記重なり合う領域の厚さと前記基板の厚さが同じであることが好ましい。
【００２５】
もちろん、隣接する基板は、前記隣接領域内において複数回重なり合ってもよい。
【００２６】
前記複数枚の基板のそれぞれは、外部電源と接続されるコネクター部を備えることが好ましい。
【００２７】
さらに、本発明は、収納部材と、複数の発光素子部がそれぞれ実装され、前記収納部材内に形成された複数枚の基板及び隣接する基板は少なくとも一部が重なり合い、前記重なり合う領域の上側に位置する基板を前記収納部材に固定する第１の固定部材を備えるバックライトユニットと、前記バックライトユニットからの光を用いて映像を表示する表示パネルと、を備える液晶表示装置を提供する。
【００２８】
ここで、前記バックライトユニットは、前記複数枚の基板の上に形成された反射板と、前記複数枚の基板の上に配設された拡散板及び光学シートをさらに備えることが好ましい。
【００２９】
そして、上述の第１の固定部材は、前記重なり合う領域の上側に位置する基板の前記重なり合う領域との隣接領域に形成されるか、あるいは、前記重なり合う領域に形成されることが好適である。
【００３０】
前記収納部材と隣接する基板を前記収納部材に固定する第２の固定部材をさらに備えることが好ましい。
そして、前記複数枚の基板はマトリックス状に配設され、前記行向き、列向きまたは行向きと列向きに隣接する基板同士が重なり合うことが好ましい。
【発明の効果】
【００３１】
本発明は、多数の発光素子部がそれぞれ実装された複数枚の基板を係合してバックライトユニットの面光源として用いることができる。
【００３２】
また、本発明は、１枚の基板を固定部材を用いて固定し、この１枚の基板の一側の領域に他の基板の一側の領域を固定することにより、複数枚の基板を固定する固定部材の数を減らすことができる。
【００３３】
さらに、本発明は、相異なる基板の係合時に、係合面の隣接領域における固定部材の数及び基板同士の隙間を減少させてバックライトユニットの輝度の均一性を高めることができる。
【００３４】
さらに、本発明は、複数枚の基板の両端を収納部材内に形成された鉤状の固定部材を用いて固定することができる。
【００３５】
さらに、本発明は、各基板ごとに別々の電源を供給することにより、各基板の上に実装された発光素子部を基板ごとに独立して駆動させることができる。
【発明を実施するための最良の形態】
【００３６】
以下、添付した図面に基づき、本発明の好適な実施の形態について詳細に説明する。ない、本発明は以下に説明する実施の形態に限定されるものではなく、相異なる形で実現可能であり、これらの実施の形態は、単に本発明の開示を完全なものにし、本発明に関する技術分野における通常の知識を有する者に本発明の範疇を完全に知らせるために提供されるものである。
【００３７】
図１〜図８は、本発明の第１の実施の形態によるバックライトユニットの説明に供する図である。図１は本発明の第１の実施の形態によるバックライトユニットを概略的に示す分解斜視図、図２は本発明の第１の実施の形態によるバックライトユニットを概略的に示す斜視図、図３は本発明の第１の実施の形態によるバックライトユニットを概略的に示す断面図である。また、図４は本発明の第１の実施の形態による発光素子部の実装を説明するためのバックライトユニットの一部を概略的に示す断面図、図５は本発明の第１の実施の形態による発光素子部の電気的な接続を説明するための第２の基板を概略的に示す平面図、図６は本発明の第１の実施の形態による発光素子部の電気的な接続を説明するための第２の基板を概略的に示す平面図である。図７及び図８は、発光素子部の電気的な接続を説明するための回路図である。
【００３８】
図１〜図８を参照すれば、本実施の形態によるバックライトユニットは、複数の発光素子部１１０と、複数の発光素子部１１０が実装され第１の固定パターン１２０が形成されている少なくとも１枚の第１の基板１０１（１０１ａ、１０１ｂ）と、複数の発光素子部１１０が実装され、第１の固定パターン１２０に対応する第２の固定パターン１３０が形成された少なくとも１枚の第２の基板１０２（１０２ａ、１０２ｂ）と、第１の基板１０１及び第２の基板１０２を収納する収納部材２００と、第２の基板１０２と収納部材２００とを固定する第１の固定部材１６０（図３参照）と、を備えている。
【００３９】
また、収納部材２００の少なくとも一側の周縁部に形成されて第１の基板１０１及び／または第２の基板１０２を固定する第２の固定部材２１０（図２参照）をさらに備えることができる。さらに、第１の基板１０１及び第２の基板１０２の上側にそれぞれ形成された反射部材１７０（図３参照）をさらに備えることができる。また、図示はしないが、本実施の形態によるバックライトユニットは、複数枚の光学シート、拡散板、及びモールドフレームをさらに備えている。
【００４０】
上述の第１の基板１０１及び第２の基板１０２としては、金属性の基板の上に導電性パターンがプリントされた回路基板を用いることが好ましい。例えば、金属コアプリント回路基板（ｍｅｔａｌ  ｃｏｒｅ  ｐｒｉｎｔｅｄ  ｃｉｒｃｕｉｔ  ｂｏａｒｄ；ＭＣＰＣＢ）を用いることが好ましい。図４に示すように、第１の基板１０１及び第２の基板１０２のそれぞれは、金属板１０と、金属板１０の上に形成された第１の絶縁膜２０と、第１の絶縁膜２０の上にパターニングされた導電性パターン３０と、金属板１０の一側の端部に形成され、導電性パターン３０と接続されたコネクター部１５０と、を備える。そして、上述のように、第１の基板１０１及び第２の基板１０２のそれぞれは、その隣接領域に形成された第１の固定パターン１２０及び第２の固定パターン１３０を備える。
【００４１】
金属板１０として、０．５ｍｍ〜５ｍｍの厚さのアルミニウム（Ａｌ）板を用いることが好ましい。しかし、本発明はこれに限定されるものではなく、金属板１０は、金属性の物質であれば特に限定されない。金属板１０の上には、複数の発光素子部１１０が実装される実装領域が限定される。導電性パターン３０は、複数の発光素子部１１０に電源を印加するための配線状のパターンである。導電性パターン３０を介して複数の発光素子部１１０を電気的にシリアル及び／またはパラレル接続することができる。第１の絶縁膜２０は、金属板１０と導電性パターン３０との間に形成されて、金属板１０と導電性パターン３０とを電気的に絶縁する。第１の絶縁膜２０は、金属板１０と導電性パターン３０との間の熱伝達を妨げない程度の厚さに形成することが好ましい。もちろん、第１の絶縁膜２０として、熱伝導性の樹脂膜を用いることもできる。導電性パターン３０の上側に、これを保護するための第２の絶縁膜４０がさらに形成されてもよい。このとき、第２の絶縁膜４０は、発光素子部１１０が実装された領域の導電性パターン３０は露出させる。
【００４２】
第１の基板１０１及び第２の基板１０２の上に実装される複数の発光素子部１１０は、図１及び図２に示すように、それぞれ赤色、青色及び緑色を発光する第１〜第３の発光ダイオード１１１、１１２、１１３を備える。発光素子部１１０は、第１〜第３の発光ダイオード１１１、１１２、１１３の色の組み合わせにより白色光を発光することが好ましい。もちろん、本発明はこれに限定されるものではなく、白色を発光する別途の発光ダイオード（図示せず）をさらに備えてもよく、白色の発光ダイオードだけで発光素子部１１０が製作されてもよい。第１〜第３の発光ダイオード１１１、１１２、１１３のそれぞれは、図４に示すように、光を発散させる発光ダイオードパッケージ７０と、発光ダイオードパッケージ７０に電源を供給するリード端子６０と、を備える。
【００４３】
発光素子部１１０の第１〜第３の発光ダイオード１１１、１１２、１１３のそれぞれが第１の基板１０１及び第２の基板１０２の上に限定された実装領域に実装される。このとき、図４に示すように、第１〜第３の発光ダイオード１１１、１１２、１１３のそれぞれのリード端子６０は、半田付けにより第１の基板１０１及び第２の基板１０２の上の導電性パターン３０と電気的に接続されることが好ましい。第１の基板１０１及び第２の基板１０２の導電性パターン３０と第１〜第３の発光ダイオード１１１、１１２、１１３は、半田付けバンプ５０により結合される。
【００４４】
このような製作過程を簡略に説明すると、下記の通りである。第１の基板１０１及び第２の基板１０２の実装領域にそれぞれ第１〜第３の発光ダイオード１１１、１１２、１１３を配設する。このとき、第１〜第３の発光ダイオード１１１、１１２、１１３のそれぞれのリード端子６０と第１の基板１０１及び第２の基板１０２の導電性パターン３０との間には、金属性の半田を配設する。その後、第１の基板１０１及び第２の基板１０２を、１００〜２００℃の温度に加熱して金属性の半田を溶かし、リード端子６０と導電性パターン３０を電気的に接続する。
【００４５】
第１の基板１０１及び第２の基板１０２のそれぞれに実装される発光素子部１１０の数は、バックライトユニットの上側に形成される表示パネルのサイズに依存する。また、第１〜第３の発光ダイオード１１１、１１２、１１３のそれぞれの発光効率にも依存する。そして、第１の基板１０１及び第２の基板１０２の上に実装される発光素子部１１０の数は同じであっても、異なっていてもよい。
【００４６】
上述のコネクター部１５０は外部電源と接続され、導電性パターン３０を介して複数の発光素子部１１０に電源を印加する。複数の発光素子部１１０の第１〜第３の発光ダイオード１１１、１１２、１１３のそれぞれは、導電性パターン３０を介してコネクター部１５０の両端子（正の端子（＋）及び負の端子（−））間にシリアル及び／またはパラレル接続可能である。図５〜図７に示すように、第２の基板１０２の一側の周縁領域に形成されたコネクター部１５０の正の端子（＋）と負の端子（−）との間に赤色を発光する複数の第１の発光ダイオード１１１がそれぞれシリアル接続される。
【００４７】
また、コネクター部１５０の正の端子（＋）と負の端子（−）との間に緑色を発光する第２の発光ダイオード１１２がそれぞれシリアル接続される。そして、コネクター部１５０の正の端子（＋）と負の端子（−）との間に青色を発光する第３の発光ダイオード１１３がそれぞれシリアル接続される。
【００４８】
図５及び図７には、それぞれ１２個の第１〜第３の発光ダイオード１１１、１１２、１１３がコネクター部１５０の正の端子（＋）と負の端子（−）との間にそれぞれシリアル接続されることを示している。しかしながら、本発明はこれに限定されるものではなく、多数の発光ダイオードがシリアル及びパラレル接続されてもよい。すなわち、図８に示すように、４個の第１〜第３の発光ダイオード１１１、１１２、１１３がそれぞれシリアル接続されて、第１〜第３の発光ダイオードのグループを形成する。３個の第１〜第３の発光ダイオードグループがコネクター部１５０の正の端子（＋）と負の端子（−）との間にそれぞれパラレル接続される。このとき、前記シリアル接続される発光ダイオード及びパラレル接続される発光ダイオードグループの数は限定されることなく、種々の形態に変更可能である。
【００４９】
このとき、コネクター部１５０は、図５に示すように、正の端子（＋）と負の端子（−）が単一の胴体内に形成されたコネクターを備えるか、あるいは、図６に示すように、正の端子（＋）と負の端子（−）がそれぞれ形成された複数のコネクターを備えることができる。複数の発光素子部１１０の第１〜第３の発光ダイオード１１１、１１２、１１３をそれぞれ電気的に絶縁して電源を供給することが好ましい。これは、赤色、緑色、青色を発光する第１〜第３の発光ダイオード１１１、１１２、１１３のそれぞれの駆動電圧が異なるためである。
【００５０】
本実施の形態においては、上述のように、第１の基板１０１及び第２の基板１０２のそれぞれに外部電源と接続されるコネクター部が形成される。これにより、第１の基板１０１及び第２の基板１０２の上に形成された複数の発光素子部１１０を基板ごとに独立して駆動することができる。
【００５１】
本実施の形態においては、第１の固定パターン１２０を有する少なくとも１枚の第１の基板１０１と、第２の固定パターン１３０を有する少なくとも１枚の第２の基板１０２を係合してバックライトユニットを製作するが、第１の固定パターン１２０と第２の固定パターン１３０とを重なり合わせる。第２の基板１０２の第２の固定パターン１３０を第１の基板１０１の第１の固定パターン１２０の上側に配設して第１の基板１０１を押し付けることができる。
【００５２】
図１及び図３に示すように、第１の基板１０１の一側の領域に形成された第１の固定パターン１２０は、第１の基板１０１の上部面から下部面に向けて下向きの勾配を有する第１の斜面を備える。第１の基板１０１の第１の斜面と上部面がなす角は鈍角であり、第１の斜面と下部面がなす角は鋭角であることが好ましい。第２の基板１０２の一側の領域に形成された第２の固定パターン１３０は、図１及び図３に示すように、第２の基板１０２の下部面から上部面に向けて上向きの勾配を有する第２の斜面を備える。第２の基板１０２の第２の斜面と上部面がなす角は鋭角であり、第２の斜面と下部面がなす角は鈍角であることが好ましい。
【００５３】
第１の基板１０１の第１の斜面と上部面がなす鈍角と、第２の基板１０２の第２の斜面と上部面がなす鋭角の合計は、１８０°であることが好ましい。このような製作過程は、下記の通りである。
【００５４】
第１の基板１０１の一方の壁面を所定の勾配を有するように加工して第１の斜面を形成する。第２の基板１０２をひっくり返した後、第２の基板１０２の一方の壁面を上記と同じ勾配を有するように加工して第２の斜面を形成する。
【００５５】
このとき、図３に示す第１の固定パターン１２０及び第２の固定パターン１３０の重なり合う領域の垂直断面（図１に示す前記重なり合う領域の収納部材２００における長手方向に沿った垂直断面）をみると、下部領域には第１の基板１０１の第１の固定パターン１２０が形成され、上部領域には第２の基板１０２の第２の固定パターン１３０が配設される。上述したように、第１の固定パターン１２０の第１の斜面と第２の固定パターンの第２の斜面とがそれぞれ対応するように重なり合うので、前記垂直断面の形状は、斜線状となる。このため、第２の基板１０２の第２の固定パターン１３０が第１の基板１０１の第１の固定パターン１２０をその上部から押し付けるため、第１の基板１０１の一側の領域の浮きを防ぐことが可能になる。
【００５６】
そして、図１に示すように、第２の基板１０２の第２の固定パターン１３０の隣接領域には、第１の固定部材１６０が貫通する複数の貫通ホール１４０が形成される。第１の固定部材１６０は、第１の基板１０１または第２の基板１０２の上部から第１の基板１０１または第２の基板１０２の溝を貫通して、第１の基板１０１または第２の基板１０２下部の収納部材２００に固定されることが好ましい。すなわち、図２及び図３に示すように、貫通ホール１４０を貫通するネジなどの第１の固定部材１６０により、収納部材２００と第２の基板１０２は係合される。この第１の固定部材１６０により、第２の基板１０２の一側の領域の浮き上がりを防ぐことができる。このとき、第１の固定部材１６０としてネジを用いる場合、収納部材２００に貫通孔が形成されてもよい。
【００５７】
第１の固定部材１６０はネジではなく、鉤状のものに製作可能であり、この鉤状の固定部材が収納部材２００に取り付けられてもよい。
【００５８】
また、図２及び図３に示すように、収納部材２００の両周縁領域には、第１の基板１０１及び第２の基板１０２の他側の領域を固定する複数の第２の固定部材２１０が形成される。第２の固定部材２１０は、収納部材２００の一部が突出されてなるか、あるいは、別途の部材が収納部材２００に取り付けられてなる。ここで、収納部材２００は、矩形の底面と、底面から延びた側壁面と、を備える。このとき、第２の固定部材２１０は前記底面に設けられてもよく、側壁面に設けられてもよい。第２の固定部材２１０が前記底面に形成される場合、第２の固定部材２１０は鉤状に製作されて第１の基板１０１及び第２の基板１０２の他側の領域を固定することが好ましい。第２の固定部材２１０が前記側壁面に形成される場合、第２の固定部材２１０は突状に製作されて第１の基板１０１及び第２の基板１０２の他側の領域を固定することが好ましい。第２の固定部材２１０としてネジを用いてもよい。すなわち、ネジを用いて第１の基板１０１及び第２の基板１０２の他側の領域と収納部材２００とを係合することができる。
【００５９】
第１の基板１０１の一側の領域は第２の固定パターン１３０により固定され、第１の基板１０１の他側の領域は第２の固定部材２１０により固定される。そして、第２の基板１０２の一側の領域は第１固定部材１６０に固定され、第２の基板１０２の他側の領域は、第２の固定部材２１０により固定される。このように、第１の基板１０１及び第２の基板１０２の両側の領域を別途の固定部材と固定パターンにより押圧することにより、これらの浮き上がりを防ぐことができる。すなわち、第２の基板１０２の場合、第１の固定部材１６０及び第２の固定部材１６０の固定力により固定される。そして、第１の基板１０１は、第２の固定部材２１０の固定力と第２の基板１０２の第２の固定パターン１３０の固定力により固定される。
【００６０】
本実施の形態による第１の基板１０１及び第２の基板１０２は、略矩形状に形成、例えば、長方形状に形成されている。このため、矩形状の第１の基板１０１及び第２の基板１０２の一側の領域と向かい合う他側の領域を収納部材２００に固定して基板の浮き上がりを防ぐことができる。もちろん、基板の両辺以上の領域を固定してもよい。このとき、第１の基板１０１及び第２の基板１０２を固定するために用いられる第１の固定部材１６０の数を減らすことができる。
【００６１】
すなわち、図２に示すように、矩形状の基板の一辺の領域を固定するためには、２個の第１の固定部材１６０が必要となる場合を考えると、下記の通りである。
【００６２】
従来には、第１の基板１０１及び第２の基板１０２のそれぞれの一辺の領域を２個の第１の固定部材１６０を用いて固定していた。このため、４個の第１の固定部材１６０が必要であった。しかしながら、本実施の形態においては、第１の基板１０１の一辺領域を第２の基板１０２により押圧するため、第１の基板１０１の一辺の領域においては別途の第１の固定部材１６０が不要になる。但し、第２の基板１０２の一辺を固定する２個の第１の固定部材１６０だけでも、第１基板１０１及び第２の基板１０２の一辺の領域を固定することが可能になる。このように、第１の固定部材１６０の数を半分に低減することが可能である。
【００６３】
また、本実施の形態は、第１固定部材１６０及び第２の固定部材２１０の両方にネジを用いる場合に比べて、ネジの使用点数を減らすことができる。すなわち、従来には、第１基板１０１及び第２の基板１０２としてそれぞれ４個のネジを用いて第１基板１０１及び第２の基板１０２の両辺の領域（一側の領域と他側の領域）を固定していた。すなわち、合計で８個のネジを用いていた。しかしながら、本実施の形態においては、第１の基板１０１の一側の領域は第２の基板１０２の一側の領域（固定パターン）により固定され、第２の基板１０２の一側の領域は２個のネジを用いて固定する。そして、第１の基板１０１及び第２の基板１０２の他側の領域はどちらも収納部材２００のフックにより固定される。これにより、合計で２個のネジだけを用いて第１の基板１０１及び第２の基板１０２を固定することができる。
【００６４】
このため、本実施の形態は、バックライトユニットの組み立てのためのネジなどの固定部材の数を減らして、バックライトユニットの輝度の均一度を高めることができる。すなわち、ネジなどの固定部材は、発光素子部１１０が発光する光の一部を吸収して発光素子部１１０の光の放出量を低下する要因となる。このため、従来のように、両基板の隣接領域の両側に固定部材が形成される場合には、固定部材が原因となって、両基板の隣接領域においてバックライトユニットの輝度が低下するという問題が生じる。しかしながら、本実施の形態においては、両基板の隣接領域に形成される固定部材の数を減らすことにより、このようなバックライトユニットの輝度の低下を防ぐことができる。
【００６５】
このバックライトユニットの組み立ては、先ず、第１の基板１０１を収納部材２００に配設する。このとき、第１の基板１０１の他側の領域を、先ず、第２の固定部材２１０に嵌め込む。
【００６６】
次に、第２の基板１０２を収納部材２００に配設する。このとき、先ず、第２の基板１０２の他側の領域を第２の固定部材２１０に嵌め込んだ後、第２の基板１０２の第２の固定パターン１３０を第１の基板１０１の第１の固定パターン１２０と重なり合わせる。この後、第１の固定部材１６０により収納部材２００と第２の基板１０２を固定する。
【００６７】
第１の基板１０１及び第２の基板１０２と収納部材２００との間には、粘性を有するサーマルパッド（図示せず）が形成される。前記サーマルパッドを介して、第１の基板１０１及び第２の基板１０２の熱を収納部材２００に素早く伝達することができる。のみならず、サーマルパッドの粘性により収納部材２００と第１の基板１０１及び第２の基板１０２との係合力を高めることができる。
【００６８】
本実施の形態による第１の基板１０１及び第２の基板１０２の上には、反射部材１７０が設けられてもよい。このとき、第１の基板１０１の上に形成される反射部材１７０は、第１の基板１０１の上に形成された多数の発光素子部１１０の実装領域を除く全体の領域に形成されることが好ましい。そして、第２の基板１０２の上に形成される反射部材１７０は、第２の基板１０２の発光素子部１１０の実装領域と貫通ホール１４０領域を除く全体の領域に形成されることが好ましい。この反射部材１７０により、発光素子部１１０が発光する光のうち、下部の第１の基板１０１及び第２の基板１０２に向かって照射される光を反射することができる。また、反射部材１７０を第１の基板１０１及び第２の基板１０２の第１の固定パターン１２０及び第２の固定パターン１３０の領域にも形成することができる。
【００６９】
本実施の形態においては、複数の発光素子部１１０が実装された第１の基板１０１及び第２の基板１０２の上側領域に拡散板（図示せず）と複数枚の光学シート（図示せず）を配設する。前記拡散板は、複数の発光ダイオード部１１０の光を均一に拡散させる。光学シートは、拡散された光の輝度を高める。前記光学シート内にはプリズムシートが含まれて、光の直進性を高めることができる。
【００７０】
以下、本実施の形態の変形例によるバックライトユニットについて説明する。
【００７１】
図９〜図１１は、第１の実施の形態の変形例によるバックライトユニットを概略的に示す断面図である。
【００７２】
図９に示すように、第１の基板１０１の一側の領域に形成された第１の固定パターン１２０は、第１の基板１０１の下部面の一部が側方向に突出された第１の突出部を備える。第１の突出部の厚さは、第１の基板１０１の厚さを１とした場合、０．３〜０．７であることが好ましい。第２の基板１０２の一側の領域に形成された第２の固定パターン１３０は、第２の基板１０２の上部面の一部が側方向に突出された第２の突出部を備える。第２の突出部の厚さは、第２の基板１０２の厚さを１とした場合、０．３〜０．７であることが好ましい。第１の基板１０１及び第２の基板１０２の厚さを１とした場合、第１の突出部及び第２の突出部の厚さはそれぞれ０．５であることがさらに好ましい。第２の基板１０２の第２の突出部の隣接領域には、収納部材２００に係止される第１の固定部材１６０が形成される。そして、第１の基板１０１及び第２の基板１０２の他側の領域には、それぞれ第２の固定部材２１０が形成される。
【００７３】
この変形例においては、第２の基板１０２の第２の突出部の下面が第１の基板１０１の第１の突出部の上面に接するように形成されて第１の基板１０１の一側の領域の浮き上がりを防ぐことができる。第１の固定パターン１２０及び第２の固定パターン１３０の重なり合う領域の垂直断面の形状は、折り曲げられた直線状（階段状）である。
【００７４】
このため、第１の基板１０１の一側の領域は第２の固定パターン１３０（すなわち、第２の突出部）により固定され、第１の基板１０１の他側の領域は第２の固定部材２１０により固定される。そして、第２の基板１０２の一側の領域は第１の固定部材１６０に固定され、第２の基板１０２の他側の領域は第２の固定部材２１０により固定される。
【００７５】
図１０に示すように、第１の基板１０１の一側の領域に形成された第１の固定パターン１２０は、第１の基板１０１の側面の一部が側方向に突出された突出部を備える。前記突出部の厚さは、第１の基板１０１の厚さを１とした場合、０．２〜０．６であることが好ましい。第２の基板１０２の一側の領域に形成された第２の固定パターン１３０は、第２の基板１０２の側面の一部が窪んだ凹部を備える。前記凹部の開口部の厚さは、突出部の厚さと同じであることが好ましい。この変形例においては、第１の基板１０１の突出部が第２の基板１０２の凹部に内挿される。
【００７６】
第２の基板１０２の凹部の隣接領域には、収納部材２００に係止される第１の固定部材１６０が形成される。これにより、第２の基板１０２の凹部領域は、第１の固定部材１６０により浮き上がりが防がれ、第１の基板１０１は、第２の基板１０２の凹部に嵌入された突出部によりその浮き上がりが防がれる。もちろん、本発明はこれに限定されるものではなく、第１の基板１０１の突出部の隣接領域に収納部材２００と第１の基板１０１とを固定する第１の固定部材１６０が形成されてもよい。これにより、第１の基板１０１の突出部の領域は、第１の固定部材１６０により浮き上がりが防がれ、第２の基板１０２は、第２の基板１０２の凹部に嵌入された第１の基板１０１の突出部によりその浮き上がりが防がれる。このとき、図１０に示す第１の基板１０１及び第２の基板１０２の重なり合う領域の垂直断面をみると、第１の基板１０１の上下に第２の基板１０２が配設された形となっている。このため、第２の基板１０２により第１の基板１０１を押圧して第１の基板１０１の浮き上がりを防ぐことができ、第１の基板１０１により第２の基板１０２を押圧して第２の基板１０２の浮き上がりを防ぐことができる。この変形例においても、第１の基板１０１及び第２の基板１０２の他側の領域にはそれぞれ第２の固定部材２１０が形成される。
【００７７】
図１１に示すように、第１の基板１０１の一側の領域に形成された第１の固定パターン１２０は、第１の基板１０１の側壁面に形成された第１の凹凸部を備える。第２の基板１０２の一側の領域に形成された第２の固定パターン１３０は、第２の基板１０２の側壁面に形成され、前記第１の凹凸部に対応する形状の第２の凹凸部を備える。すなわち、第１の基板１０１の側壁面上側に凸部が形成され、その下側には凹部が形成される。同時に、第２の基板１０２の側壁面の上側には凹部が形成され、下側には凸部が形成される。上述の第１の凹凸部及び第２の凹凸部は、波状に湾曲した曲面形状であることが好ましい。これにより、第１凹凸部及び第２の凹凸部が係合された第１の基板１０１及び第２の基板１０２の係合領域の垂直断面の形状は、図１１に示すように、Ｓ字形状である。第１の凹凸部及び第２の凹凸部により、第１の基板１０１及び第２の基板１０２の浮き上がりを防ぐことができる。
【００７８】
このとき、第２の基板１０２の第２の凹凸部の隣接領域には、第２の基板１０２と収納部材２００を係合する第１の固定部材１６０が形成される。これにより、第２の基板１０２は、第１の固定部材１６０により浮き上がりを防ぐことができ、第１の基板１０１は、第２の凹凸部と係合された第１の凹凸部によりその浮き上がりを防ぐことができる。また、本発明はこれに限定されるものではなく、第１の基板１０１の第１の凹凸部の隣接領域には、第１の基板１０１と収納部材２００を係合する第１の固定部材１６０が形成されてもよい。
【００７９】
本実施の形態においては、上述のように、バックライトユニットの光源として、複数の発光素子部１０１がそれぞれ実装された少なくとも１枚の第１の基板１０１と少なくとも１枚の第２の基板１０２を係合して用いる。
【００８０】
このように、第１の基板１０１及び第２の基板１０２を使い分ける理由は、背景技術で既に説明したように、表示装置のサイズが増大するためである。これは、発光素子部１１０が実装される基板が薄いため、基板のサイズを増大させる場合には、大型基板の製作が困難になるだけではなく、撓み易いなどの基板の制御が困難になるという欠点があるからである。
【００８１】
そこで、本実施の形態によるバックライトユニットは、図１及び図２に示すように、２枚の第１の基板１０１ａ、１０１ｂと２枚の第２の基板１０２ａ、１０２ｂを備える。すなわち、一方の第１の基板１０１ａは、収納部材２００の左下端に配設する。一方の第２の基板１０２ａは、一方の第１の基板１０１ａの第１の固定パターン１２０と一方の第２の基板１０２ａの第２の固定パターン１３０が重なり合うように収納部材２００の右下端に配設する。他方の第１の基板１０１ｂは、一方の第２の基板１０２ａとその一辺が密着されるように収納部材２００の右上端に配設する。他方の第２の基板１０２ｂは、一方の第１の基板１０１ａとその一辺が密着され、他方の第１の基板１０１ｂの第１の固定パターン１２０と他方の第２の基板１０２ｂの第２の固定パターン１３０が重なり合うように左上端に配設する。しかしながら、本発明はこれに限定されるものではなく、第１固定パターン１２０及び第２の固定パターン１３０が重なり合う一方の第１の基板１０１ａ及び第２の基板１０２ａと、第１の基板１０１ｂ及び第２の基板１０２ｂが横向き、縦向き、及び対角線向きにミラー対称となるように収納部材２００内に配設されてもよい。もちろん、本発明はこれに限定されるものではなく、複数枚の第１の基板１０１及び第２の基板１０２を用いてこれを種々に配設して大面積のバックライトユニット用の光源を形成してもよい。
【００８２】
また、本発明は上述の説明に限定されるものではなく、複数枚の基板の隣接領域を第１の固定パターン及び第２の固定パターンにより係合して大面積のバックライトユニットを形成することができる。
【００８３】
以下、図面に基づき、本発明の第２の実施の形態によるバックライトユニットを説明する。後述する説明のうち、上述の第１の実施の形態の説明と重複する説明は省略する。そして、後述する第２の実施の形態の技術は、上述の第１の実施の形態にも適用可能である。
【００８４】
図１２は、本発明の第２の実施の形態によるバックライトユニットを概略的に示す分解斜視図であり、図１３は、第２の実施の形態によるバックライトユニットを概略的な構成を示す斜視図である。
【００８５】
図１２及び図１３を参照すると、本実施の形態によるバックライトユニットは、複数の発光素子部１１０と、複数の発光素子部１１０がそれぞれ実装された第１〜第４の基板１０３、１０４、１０５、１０６と、第１〜第４の基板１０３、１０４、１０５、１０６を収納する収納部材２００と、を備える。
【００８６】
第１〜第４の基板１０３、１０４、１０５、１０６は、図１２及び図１３に示すように、略矩形板状に形成される。第１〜第４の基板１０３、１０４、１０５、１０６は、第１の固定パターン１２０（１２０ａ、１２０ｂ）と、第１の固定パターン１２０に対応する第２の固定パターン１３０（１３０ａ、１３０ｂ）のうち少なくともいずれか１つのパターンを備える。第１〜第４の基板１０３、１０４、１０５、１０６は、収納部材２００内において隣接して配設される。１枚の基板の第１の固定パターン１２０及び／または第２の固定パターン１３０は、垂直または水平向きに隣接する他の基板の第１の固定パターン１２０及び／または第２の固定パターン１３０と重なり合う。
【００８７】
本実施の形態の第１の基板１０３及び第３の基板１０５は、それぞれ２個の第１の固定パターン１２０ａ、１２０ｂを備え、第２の基板１０４及び第４の基板１０６は、それぞれ２個の第２の固定パターン１３０ａ、１３０ｂを備える。
【００８８】
第１の基板１０３の一方の第１の固定パターン１２０ａと第２の基板１０４の一方の第２の固定パターン１３０ａが重なり合い、第１の基板１０３の他方の第１の固定パターン１２０ｂと第４の基板１０６の一方の第２の固定パターン１３０ａが重なり合う。第３の基板１０５の一方の第１の固定パターン１２０ａと第２の基板１０４の他方の第２の固定パターン１３０ｂが重なり合い、第３の基板１０５の他方の第１の固定パターン１２０ｂと第４の基板１０６の他方の第２の固定パターン１３０ｂが重なり合う。
【００８９】
これにより、第１の基板１０３及び第３の基板１０５の４辺のうち２辺は、それぞれ第２の基板１０４及び第４の基板１０６により固定することが可能である。第２の基板１０４及び第４の基板１０６の２個の第２の固定パターン１３０ａ、１３０ｂの隣接領域には、第２の基板１０４及び第４の基板１０６と収納部材２００を係合させる第１の固定部材１６０が形成される。このとき、第２の基板１０４及び第４の基板１０６の第２の固定パターン１３０隣接領域には、第１の固定部材１６０が貫通する貫通ホール１４０が形成される。そして、本実施の形態においては、収納部材２００の側壁面から突出された第２の固定部材２１０が形成されて、第１〜第４の基板１０３、１０４、１０５、１０６を固定する。
【００９０】
図１３においては、第１の固定パターン１２０及び第２の固定パターン１３０が形成されていない残りの２辺のうちどちらか１辺を第２の固定部材２１０により固定することを示している。これにより、第１〜第４の基板１０３、１０４、１０５、１０６の３辺を固定して、第１〜第４の基板１０３、１０４、１０５、１０６の浮き上がりを防ぐことができる。すなわち、第１の基板１０３及び第３の基板１０５の４辺のうち２辺は、第２の基板１０４及び第４の基板１０６の第２の固定パターン１３０により固定され、１辺は第２の固定部材２１０により固定される。第２の基板１０４及び第４の基板１０６の２辺は第１の固定部材１６０により固定され、１辺は第２の固定部材２１０により固定される。本実施の形態はこれに限定されるものではなく、第１及の固定パターン１２０び第２の固定パターン１３０が形成されていない残りの２辺ともを固定するように第２の固定部材２１０を形成して、第１〜第４の基板１０３、１０４、１０５、１０６の４辺をいずれも固定することができる。
【００９１】
このとき、図１２に示すように、第１の基板１０３の２個の第１の固定パターン１２０が重なり合う領域と、第２の基板１０４の２個の第２の固定パターン１３０が重なり合う領域は切断されることが好ましい。これは、前記切断領域に第３の基板１０５及び第４の基板１０６の第１固定パターン１２０及び第２の固定パターン１３０が配設されるためである。
【００９２】
以下、第１〜第４の基板１０３、１０４、１０５、１０６の組み立てについて説明する。
【００９３】
先ず、第１の基板１０３及び第３の基板１０５の一部の辺が収納部材２００の第２の固定部材２１０に固定されるように配設する。第２の基板１４０を収納部材２００の第２の固定部材２１０に固定した後、第２の基板１０４の第２の固定パターン１３０が第１の基板１０３及び第３の基板１０５の第１の固定パターン１２０と重なり合うように配設する。第１の固定部材１６０を用いて第２の基板１０４を収納部材２００に固定する。第４の基板１０６を収納部材２００の第２の固定部材２１０に固定した後、第４の基板１０６の第２の固定パターン１３０が第１の基板１０３及び第３の基板１０５の第１の固定パターン１２０と重なり合うように配設する。
【００９４】
この後、第１の固定部材１６０を用いて第４の基板１０６を収納部材２００に固定する。第１〜第４の基板１０３、１０４、１０５、１０６が固定された収納部材２００内に拡散板（図示せず）及び光学シート（図示せず）を配設してバックライトユニットを形成する。
【００９５】
以上、４枚の基板を係合してバックライトユニットを製作することを説明した。しかしながら、本発明はこれに限定されるものではなく、前記４枚の基板よりも多数枚の基板を用いて大面積のバックライトユニットを形成することができる。
【００９６】
本実施の形態は上述の説明に限定されるものではなく、第１〜第４の基板１０３、１０４、１０５、１０６に形成される第１の固定パターン１２０及び第２の固定パターン１３０を変更して、第１〜第４の基板１０３、１０４、１０５、１０６を係合するための種々の組み合わせが可能である。
【００９７】
図１４は、本発明の第２の実施の形態の変形例によるバックライトユニットを概略的に示す分解斜視図であり、図１５は、本発明の第２の実施の形態の変形例によるバックライトユニットを概略的に示す斜視図である。
【００９８】
図１４に示すように、この変形例の第１の基板１０３及び第４の基板１０６はそれぞれ第１の固定パターン１２０及び第２の固定パターン１３０を備え、第２の基板１０４は２個の第２の固定パターン１３０（１３０ａ、１３０ｂ）を備え、第３の基板１０５は２個の第１の固定パターン１２０（１２０ａ、１２０ｂ）を備える。
【００９９】
第１の基板１０３の第１の固定パターン１２０と第２の基板１０４の一方の第２の固定パターン１３０ａが重なり合う。第２の基板１０４の他方の第２の固定パターン１３０ｂと第３の基板１０５の一方の第１の固定パターン１２０ａが重なり合う。第３の基板１０５の他方の第１の固定パターン１２０ｂと第４の基板１０６の第２の固定パターン１３０が重なり合う。第４の基板１０６の第１の固定パターン１２０と第１の基板１０３の第２の固定パターン１３０が重なり合う。
【０１００】
これにより、第３の基板１０５の４辺のうち２辺は、それぞれ第２の基板１０４及び第４の基板１０４、１０６により固定される。第４の基板１０６の１辺は、第１の基板１０３により固定され、第１の基板１０３の１辺は第２の基板１０４により固定される。そして、第２の基板１０４の一方の第２の固定パターン１３０ａの隣接領域には、第２の基板１０４と収納部材２００を係合する第１の固定部材１６０が形成される。第２の基板１０４には、第１の固定部材１６０が貫通する貫通ホール１４０が形成される。そして、この変形例においては、図１５に示すように、第２の固定部材２１０としてネジを用いて第１〜第４の基板１０３、１０４、１０５、１０６を収納部材２００に固定している。これにより、第１〜第４の基板１０３、１０４、１０５、１０６には、それぞれ第２の固定部材２１０が貫通する貫通ホール２１１が形成される。
【０１０１】
第１の基板１０３は、第２の固定部材２１０と第２の基板１０５により浮き上がりが防がれる。第２の基板１０４は、第１の固定部材１６０及び第２の固定部材２１０により浮き上がりが防がれる。第３の基板１０５は、第２の基板１０４及び第４の基板１０６と第２の固定部材２１０により浮き上がりが防がれる。第４の基板１０６は、第１の基板１０３と第２の固定部材２１０により浮き上がりが防がれる。
【０１０２】
また、本発明は上述の説明に限定されるものではなく、固定部材を用いて第１の基板及び第２の基板を同時に収納部材に固定して、大面積バックライトユニットを形成するための組み立て工程を単純化させることができる。以下、図面に基づき、本発明の第３の実施の形態によるバックライトユニットを説明する。後述する説明のうち、上述の実施の形態と重複する説明は省略する。そして、後述する第３の実施の形態の技術は、上述の第１の実施の形態及び第２の実施の形態に適用されてもよい。
【０１０３】
図１６は、本発明の第３の実施の形態によるバックライトユニットを概略的に示す分解斜視図であり、図１７は、本発明の第３の実施の形態によるバックライトユニットを概略的に示す斜視図であり、そして、図１８は、本発明の第３の実施の形態によるバックライトユニットを概略的に示す断面図である。
【０１０４】
図１６〜図１８を参照すると、本実施の形態によるバックライトユニットは、複数の発光素子部１１０と、複数の発光素子部１１０が実装された少なくとも１枚の第１の基板１０１（１０１ａ、１０１ｂ）及び少なくとも１枚の第２の基板１０２（１０２ａ、１０２ｂ）と、第１の基板１０１及び第２の基板１０２が収納される収納部材２００と、第１の基板１０１及び第２の基板１０２の重なり合う領域に形成されて第１の基板１０１及び第２の基板１０２を収納部材２００に固定する第１の固定部材１６０と、を備える。
【０１０５】
第１の基板１０１は、第２の基板１０２と重なり合う第１の固定パターン１２０を備える。第１の固定パターン１２０内には、第１の固定部材１６０が貫通する第１の貫通ホール１４１が形成される。
【０１０６】
第２の基板１０２は、第１の基板１０１の第１の固定パターン１２０と重なり合う第２の固定パターン１３０を備える。第２の固定パターン１３０内には、第１の固定部材１６０が貫通する第２の貫通ホール１４２が形成される。
【０１０７】
図１６及び図１８に示すように、第１の固定パターン１２０は、下向きの勾配を有する斜面を備え、第２の固定パターン１３０は、第１の固定パターン１２０に対応する上向きの勾配を有する斜面を備える。このため、第１の基板１０１の第１の固定パターン１２０と第２の基板１０２の第２の固定パターン１３０が重なり合う場合、第２の固定パターン１３０が第１の固定パターン１２０の上側の領域に位置する。第１の固定パターン１２０及び第２の固定パターン１３０を重なり合わせる場合、重なり合う領域の厚さは、第１の基板１０１及び第２の基板１０２の厚さと同じくなる。
【０１０８】
第１の固定部材１６０は、第１の貫通ホール１４１及び第２の貫通ホール１４２を通過して第１の基板１０１の第１の固定パターン１２０領域と第２の基板１０２の第２の固定パターン１３０領域を収納部材２００に固定する。第１の固定部材１６０としては、ネジまたは固定ピンなどを用いることができ、収納部材２００に形成された鉤状の突起を用いることもできる。この第１の固定部材１６０により、第１の基板１０１及び第２の基板１０２の一側の領域（すなわち、第１の固定パターン１２０及び第２の固定パターン１３０が重なり合う領域）が浮くような現象を防ぐことができる。
【０１０９】
本実施の形態においては、第１の基板１０１及び第２の基板１０２の第１の固定パターン１２０及び第２の固定パターン１３０領域を重なり合わせ、この重なり合う領域を第１の固定部材１６０により収納部材２００に固定している。これにより、第１の基板１０１及び第２の基板１０２の固定のための第１の固定部材１６０の数を減らすことができる。
【０１１０】
また、本発明は上述の説明に限定されることなく、第１の基板及び第２の基板にそれぞれ複数個の第１の固定パターン及び第２の固定パターンが形成されてもよい。以下、図面に基づき、本発明の第４の実施の形態によるバックライトユニットを説明する。後述する説明のうち、上述の実施の形態と重複する説明は省略する。そして、後述する第４の実施の形態の技術は、上述の第１〜第３の実施の形態に適用可能である。
【０１１１】
図１９は、本発明の第４の実施の形態によるバックライトユニットを概略的に示す分解斜視図であり、図２０は、本発明の第４の実施の形態によるバックライトユニットを概略的に示す斜視図である。
【０１１２】
図１９及び図２０を参照すると、本実施の形態によるバックライトユニットは、複数の発光素子部１１０が実装された少なくとも１枚の第１の基板（１０１ａ、１０１ｂ）１０１及び複数の発光素子部１１０が実装された少なくとも１枚の第２の基板（１０２ａ、１０２ｂ）１０２と、第１の基板１０１及び第２の基板１０２が収納される収納部材２００と、を備える。
【０１１３】
第１の基板１０１及び第２の基板１０２の一側の領域には、それぞれ対応する第１の固定パターン１２０及び第２の固定パターン１３０が形成される。図１９に示すように、一方の第１の基板１０１ａは、３個の第１の固定パターン１２０と、第１の固定パターン１２０の間に形成された２個の第２の固定パターン１３０と、を備える。一方の第２の基板１０２ａは、３個の第２の固定パターン１３０と、第２の固定パターン１３０の間に形成された２個の第１の固定パターン１２０を備える。一方の第１の基板１０１ａの３個の第１の固定パターン１２０は、一方の第２の基板１０２ａの３個の第２の固定パターン１３０に対応し、一方の第１の基板１０１ａの２個の第２の固定パターン１３０は、他方の第２の基板１０２ａの２個の第１の固定パターン１２０に対応する。
【０１１４】
第１の基板１０１及び第２の基板１０２は収納部材２００内に収納され、このとき、第１の基板１０１の第１の固定パターン１２０及び第２の固定パターン１３０と第２の基板１０２の第１の固定パターン１２０及び第２の固定パターン１３０領域が重なり合う。本実施の形態においては、第１の固定部材１６０を用いて第２の基板１０２の第１の固定パターン１２０及び第２の固定パターン１３０の隣接領域を収納部材２００に固定する。このとき、第１の基板１０１の第１の固定パターン１２０は、第２の基板１０２の第２の固定パターン１３０により固定される。もちろん、本発明はこれに限定されるものではなく、第１の固定部材１６０を用いて第１の基板１０１の第１の固定パターン１２０及び第２の固定パターン１３０の隣接領域を収納部材２００に固定してもよい。このとき、第２の基板１０２が第１の固定パターン１２０が第１の基板１０１の第２の固定パターン１３０により固定される。図２０に示すように、第１の基板１０１及び第２の基板１０２の他側の領域は、収納部材２００の側壁の領域に突出された第２の固定部材２１０により収納部材２００に固定される。これにより、本実施の形態においては、矩形の第１の基板１０１及び第２の基板１０２の４辺のうち対応する２辺の領域（一側の領域と他側の領域）を収納部材２００に固定することができる。第１の基板１０１及び第２の基板１０２の固定のためのネジなどの固定部材の使用点数を減らすことができる。
【０１１５】
以下、上述の本発明の実施の形態によるバックライトユニットを備えた表示装置について説明する。
【０１１６】
図２１は、本発明の一実施の形態による表示装置を概略的に示す分解斜視図である。
【０１１７】
図２１を参照すると、本実施の形態による表示装置は、上部に配設されたディスプレイユニット１０００と、下部に配設されたバックライトユニット２０００と、を備える。
【０１１８】
ディスプレイユニット１０００は、液晶表示パネル６００及び駆動回路部７００を備える。
【０１１９】
液晶表示パネル６００は、薄膜トランジスター（ｔｈｉｎ  ｆｉｌｍ  ｔｒａｎｓｉｓｔｏｒ：ＴＦＴ）基板６１０と、共通電極基板６２０と、を備える。薄膜トランジスター基板６１０と共通電極基板６２０との間には、液晶層（図示せず）が形成される。薄膜トランジスター基板６１０及び共通電極基板６２０としては、ガラスなどの透光性の絶縁基板を用いることが好ましい。薄膜トランジスター基板６１０は、図示はしないが、一方向延びたゲートラインと、当該ゲートラインが延びる方向と交差する方向に延びたデータラインを備える。ゲートラインとデータラインとが交差することによって区画される領域には、薄膜トランジスターと画素電極を備える。共通電極基板６２０は、図示はしないが、前記画素電極に対応する共通電極と赤色（Ｒ）、緑色（Ｇ）及び青色（Ｂ）のカラーフィルターが形成される。前記画素電極及び前記共通電極は、インジウムチンオキシド（ｉｎｄｉｕｍ  ｔｉｎ  ｏｘｉｄｅ：ＩＴＯ）またはインジウムジンクオキシド（ｉｎｄｉｕｍ  ｚｉｎｃ  ｏｘｉｄｅ：ＩＺＯ）などの透明な導電材料から形成することが好ましい。
【０１２０】
液晶表示パネル６００の駆動を簡単に説明すれば、下記の通りである。上記のゲートラインに電気的な信号を印加して薄膜トランジスターをターンオンさせ、これにより、データラインの電気的な信号を画素電極に供給して画素電極と共通電極との間の電界が変化する。これにより、薄膜トランジスター基板と共通電極基板との間に形成された液晶の配列が変化され、液晶層の透光度が変更されて所望の画像を表示する。
【０１２１】
駆動回路部７００は、液晶表示パネル６００の動作を制御するための複数の制御回路が形成された制御回路基板７１０と、制御回路基板７１０と液晶表示パネル６００を接続するための軟性プリント回路基板７２０と、を備える。
【０１２２】
本実施の形態の制御回路基板７１０には、図示はしないが、データラインに電気的な信号を供給するデータ信号供給部がＩＣチップ状に配設されていることが好ましい。そして、図示はしないが、ゲートラインに電気的な信号を供給するゲート信号供給部は、薄膜トランジスター基板６１０の周縁領域にステージ状に製作されていることが好ましい。図２１には、１枚の制御回路基板７１０を示しているが、本発明はこれに限定されるものではなく、ゲート信号供給部がＩＣチップ状に配設された別途の制御回路基板をさらに備えてもよい。また、制御回路基板７１０は、外部電源と映像信号を液晶表示パネルに見合う電源と映像信号に変換する変換部をさらに備えることができる。
【０１２３】
本実施の形態の表示パネルの組み立てに際し、軟性プリント回路基板７２０が折り曲げられて、駆動回路部７１０がバックライトユニット２０００の背面に配設可能である。
【０１２４】
液晶表示パネル６００の上側には、上部収納部材８００が形成される。上部収納部材３００は、高強度であり、軽量であると共に、変形し難いプラスチックなどの材料を用いて矩形に形成することが好ましい。これにより、上部収納部材３００は、液晶表示パネル６００の離脱を防ぐと共に、外部から加えられた衝撃から液晶表示パネル６００及びバックライトユニット２０００を保護することができる。
【０１２５】
次に、バックライトユニット２０００は、複数の発光素子部１１０がそれぞれ実装された複数枚の基板１０１、１０２と、複数枚の基板１０１、１０２を収納する収納部材２００と、複数枚の基板１０１、１０２の上に形成された拡散板３００及び光学シート４００と、を備える。
【０１２６】
複数枚の基板１０１、１０２は、収納部材２００内に単一の厚さを有する略１層に組み込んで形成される。このとき、複数枚の基板１０１、１０２の配列を種々の配列に変更することができる。本実施の形態においては、複数枚の基板１０１、１０２がマトリックス状に収納部材２００内に収納される。ここで、複数枚の基板１０１、１０２のそれぞれは、横及び／または縦向き（行及び／または列向き）に隣接する基板１０１、１０２とその一部が重なり合う。そして、重なり合う領域における一方の基板１０１は下側に形成され、他方の基板１０２は上側に形成されることが好ましい。
【０１２７】
前記重なり合う領域の上部に配設された基板１０２は、第１の固定部材１６０により収納部材２００に固定される。このとき、第１の固定部材１６０は、重なり合う領域に隣接する。または、第１の固定部材１６０は、重なり合う領域に形成されて基板１０１、１０２を収納部材２００に固定してもよい。そして、収納部材２００と隣接または密着する基板１０１、１０２は、第２の固定部材２１０により収納部材２００に固定される。これにより、複数の発光素子部１１０が形成された複数枚の基板１０１、１０２の浮き上がりを防ぐことができ、複数枚の隣接する基板１０１、１０２の間を隙間無しに密着することができる。
【０１２８】
拡散板３００は、発光素子部１１０の光を液晶表示パネル６００の正面に向かせ、広い範囲に亘って均一な分布を有するように光を拡散させて液晶表示パネル６００に照射する。この拡散板３００としては、両面に所定の光拡散用の部材がコートされた透明樹脂製のフィルムを用いることが好ましい。
【０１２９】
光学シート４００は、偏光シート及び輝度向上シートを備えることができる。前記偏光シートは、偏光軸に沿って入射光を偏光して出力する。このとき、液晶表示パネルと垂直な向きの光のみを出力して光の効率を高めることが好ましい。そして、輝度向上シートは、透過軸と平行な光は透過させ、垂直な光は反射する。前記透過軸は、偏光シートの偏光軸と同じ向きに形成して透過効率を高めることができる。
【０１３０】
収納部材２００は、上部面が開放された直方体の箱状に形成され、内部には所定の深さの収納空間が形成される。下部収納部材２００は、第１の固定パターン１３０及び第２の固定パターン１４０が形成された第１の基板１０１及び第２の基板１０２の辺と対応する辺と隣接する領域に形成された第２の固定部材２１０を備える。第２の固定部材２１０は、収納部材２００の底面に形成される。もちろん、第２の固定部材２１０は、収納部材２００の側壁面に形成されてもよい。
【０１３１】
複数枚の基板１０１、１０２のみならず、拡散シート３００及び光学シート４００は、収納部材２００の内側に収納される。本実施の形態においては、拡散シート３００及び光学シート４００を固定するモールドフレーム５００をさらに備えることができる。モールドフレーム５００は、上側に形成された液晶表示パネル６００も固定する。
【０１３２】
本実施の形態においては、図示略であるが、複数枚の基板１０１、１０２のそれぞれのコネクターの一部に接続されて基板の上に実装された複数の発光素子部１１０に直流電源を供給する電源供給部をさらに備えることができる。
【０１３３】
以上、本発明について添付図面と上述した本発明の好適な実施の形態を参照して説明したが、本発明はこれらに限定されるものではなく、特許請求の範囲によって限定される。よって、この技術分野における通常の知識を持った者であれば、特許請求の範囲の技術的な思想から逸脱しない限り、本発明を種々に変形及び修正することが可能である。
【産業上の利用可能性】
【０１３４】
本発明は、バックライトユニットを備える表示装置に関する技術分野に有用である。
【図面の簡単な説明】
【０１３５】
【図１】本発明の第１の実施の形態によるバックライトユニットを概略的に示す分解斜視図。
【図２】本発明の第１の実施の形態によるバックライトユニットを概略的に示す斜視図。
【図３】本発明の第１の実施の形態によるバックライトユニットを概略的に示す断面図。
【図４】本発明の第１の実施の形態による発光素子部の実装を説明するために、バックライトユニットの一部を概略的に示す断面図。
【図５】本発明の第１の実施の形態による発光素子部の電気的な接続を説明するために、第２の基板を概略的に示す平面図。
【図６】本発明の第１の実施の形態による発光素子部の電気的な接続を説明するために、第２の基板を概略的に示す平面図。
【図７】発光素子部の電気的な接続を説明するための回路図。
【図８】発光素子部の電気的な接続を説明するための回路図。
【図９】本発明の第１の実施の形態の変形例によるバックライトユニットを概略的に示す断面図。
【図１０】本発明の第１の実施の形態の変形例によるバックライトユニットを概略的に示す断面図。
【図１１】本発明の第１の実施の形態の変形例によるバックライトユニットを概略的に示す断面図。
【図１２】本発明の第２の実施の形態によるバックライトユニットを概略的に示す分解斜視図。
【図１３】本発明の第２の実施の形態によるバックライトユニットを概略的に示す斜視図。
【図１４】本発明の第２の実施の形態の変形例によるバックライトユニットを概略的に示す分解斜視図。
【図１５】本発明の第２の実施の形態の変形例によるバックライトユニットを概略的に示す斜視図。
【図１６】本発明の第３の実施の形態によるバックライトユニットを概略的に示す分解斜視図。
【図１７】本発明の第３の実施の形態によるバックライトユニットを概略的に示す斜視図。
【図１８】本発明の第３の実施の形態によるバックライトユニットを概略的に示す断面図。
【図１９】本発明の第４の実施の形態によるバックライトユニットを概略的に示す分解斜視図。
【図２０】本発明の第４の実施の形態によるバックライトユニットを概略的に示す斜視図。
【図２１】本発明の一実施の形態による表示装置を概略的に示す分解斜視図。
【符号の説明】
【０１３６】
１０１、１０２    基板、
１１０    発光素子部、
１２０、１３０    固定パターン、
１５０    コネクター部、
１６０    第１の固定部材、
１７０    反射部材、
２００    収納部材、
２１０    第２の固定部材。
【図１】
2008041639.tif 000003
【図２】
2008041639.tif 000004
【図３】
2008041639.tif 000005
【図４】
2008041639.tif 000006
【図５】
2008041639.tif 000007
【図６】
2008041639.tif 000008
【図７】
2008041639.tif 000009
【図８】
2008041639.tif 000010
【図９】
2008041639.tif 000011
【図１０】
2008041639.tif 000012
【図１１】
2008041639.tif 000013
【図１２】
2008041639.tif 000014
【図１３】
2008041639.tif 000015
【図１４】
2008041639.tif 000016
【図１５】
2008041639.tif 000017
【図１６】
2008041639.tif 000018
【図１７】
2008041639.tif 000019
【図１８】
2008041639.tif 000020
【図１９】
2008041639.tif 000021
【図２０】
2008041639.tif 000022
【図２１】
2008041639.tif 000023